(57)【要約】
【課題】  接着剤を使用せずに、容易に組立てできて十分な強度を備え、解体も容易にできる段ボール製パレットを提供すること。
【解決手段】  段ボールシートを折り曲げて断面方形で且つ内部に表面部を支える支柱部を一体に有し、更に接地面側から表面部に向かい所定深さ位置まで切り欠いた桟木部材係合溝、および固定片係合溝を有する桁部材と、段ボールシートを半折して少なくとも前記桁部材の高さと同じかそれより低い高さで、高さ方向の所定位置まで切り欠いた桁部材係合溝とフォーク差込用凹欠部を有する桟木部材と、段ボールシートからなり、前記桁部材の支柱部に嵌着する挾着凹部を切欠き形成し、桁部材の折り曲げ組立状態を保持する固定片と、段ボールシートから成る天板部材とから成り、前記固定片を差し込んで断面方形に組み立てた桁部材を複数本平行に並べ、それら桁部材の桟木部材係合溝に桟木部材の桁部材係合溝を嵌着してパレット本体を構成し、更にパレット本体の上面に段ボールシートからなる天板部材を積層係着する。
【選択図】      図１０
0003101227.tif 000002
【実用新案登録請求の範囲】
【請求項１】
段ボールシートに各片の折り曲げ手段を施し、これを折り曲げて断面方形で且つ内部に表面部を支える支柱部を一体に有し、更に接地面側から表面部に向かい所定深さ位置まで切り欠いた桟木部材係合溝、および固定片係合溝を有する桁部材と、
段ボールシートを半折して少なくとも前記桁部材の高さと同じかそれより低い高さで、高さ方向の所定位置まで切り欠いた桁部材係合溝とフォーク差込用凹欠部を有する桟木部材と、
段ボールシートからなり、前記桁部材の支柱部に嵌着する挾着凹部を切欠き形成し、桁部材の折り曲げ組立状態を保持する固定片と、
段ボールシートから成る天板部材とから成り、
前記固定片を差し込んで断面方形に組み立てた桁部材を複数本平行に並べ、それら桁部材の桟木部材係合溝に桟木部材の桁部材係合溝を嵌着してパレット本体を構成し、更にパレット本体の上面に段ボールシートからなる天板部材を積層係着したことを特徴とする段ボール製パレット。
【請求項２】
段ボールシートに各片の折り曲げ手段を施し、これを折り曲げて断面方形で且つ内部に表面部を支える支柱部を一体に有し、更に表面部側から接地面側に向かい所定深さ切り欠いた桟木部材係合溝、及び固定片係合溝を有する桁部材と、
紙管からなる桟木部材と、
段ボールシートからなり、前記桁部材の支柱部に嵌着する挾着凹部を切欠き形成し、桁部材の折り曲げ組立状態を保持する固定片と、
段ボールシートから成る天板部材とから成り、
前記固定片を差し込んで断面方形に組み立てた桁部材を複数本平行に並べ、それら桁部材の桟木部材係合溝に紙管からなる桟木部材を嵌着し、更に桁部材の上面に段ボールシートからなる天板部材を積層係着したことを特徴とする段ボール製パレット。
【請求項３】
段ボールシートに各片の折り曲げ手段を施し、これを折り曲げて断面方形で且つ内部に表面部を支える支柱部を一体に有し、更に接地面側から表面部に向かい所定深さ位置まで切り欠いた桟木部材係合溝、および固定片係合溝を有する桁部材と、
段ボールシートを半折して少なくとも前記桁部材の高さと同じかそれより低い高さで、高さ方向の所定位置まで切り欠いた桁部材係合溝とフォーク差込用凹欠部を有する桟木部材と、
段ボールシートからなり、前記桁部材の支柱部に嵌着する挾着凹部を切欠き形成し、桁部材の折り曲げ組立状態を保持する固定片と、
前記桟木部材を複数枚重ね合わせた状態で挟持すると共に、該桟木部材のフォーク差込用凹欠部を覆う補強部材とから成り、
前記固定片を差し込んで断面方形に組み立てた桁部材を、桟木部材係合溝を上側に向けて複数本平行に並べ、それら桁部材の桟木部材係合溝に補強部材で被覆した桟木部材を嵌着し、更に桁部材の上面に段ボールシートからなる天板部材を積層係着したことを特徴とする段ボール製パレット。
【考案の詳細な説明】
【技術分野】
【０００１】
本考案は、国内における製品の輸送、保管及び海外への輸出等に用いる段ボールシートからなるパレットに関する。
【背景技術】
【０００２】
工場等で製造される各種製品は箱や袋等で包装され、パレットに積載され、ストラップ又はラッピングで緊締されて倉庫等に保管される。そして、車両等への積み下ろしはパレットのフォーク差込口にフォークリフト等の荷役機械のフォークを差し込んで行われる。
【０００３】
このパレットとして、従来、一般的に木製のパレットが多く使用されているが、材料となる木材の枯渇等により、代替品として段ボール製パレット、樹脂製パレットが開発されている。
特に、段ボール製パレットは軽量で、処分や再生が簡単にできるという特徴を有する。
【０００４】
その従来の段ボール製パレットは、ライナーと中芯原紙を貼り合わせ積層して形成した段ボールシートから桁部材、桟木部材等の各構成部材を打抜き形成し、それらを組み立てて構成されている。
そして、段ボールシートから打抜いた各構成部材のパーツは、それ１枚では強度が不足する為、同じパーツを複数枚、接着剤を用いて積層接着したり、或いは打抜いたパーツを巻回すると共に接着積層して所定の強度が発揮されるように構成されている（例えば、特許文献１参照）。
【０００５】
【特許文献１】特開２００２−１２０８３６号公報
【０００６】
しかし、各構成部材及び構成部材相互が接着剤で接着されているため、パレット完成までに手数がかかる。また、構成部材相互が接着されている為、用済み後の解体も簡単にはできず、手数を要する。特に、重量物にも耐え得る強度を備えたパレットになればなるほど、パーツの接着も強固になるため、組立、解体の両面において手数を要する。
【考案の開示】
【考案が解決しようとする課題】
【０００７】
本考案が解決しようとする課題は、接着剤を使用せずに、容易に組立てできて十分な強度を備え、解体も容易にできる段ボール製パレットを提供することにある。
【課題を解決するための手段】
【０００８】
上記課題を達成するために本考案は、パレットを構成する桁部材、桟木部材、固定片、天板部材等の各構成部材を段ボールシートから打抜き、これを折り曲げ、重ね合わせて形成し、その構成部材を嵌め合い組み立てることを特徴とする。
【０００９】
具体的には、段ボールシートに各片の折り曲げ手段を施し、これを折り曲げて断面方形で且つ内部に表面部を支える支柱部を一体に有し、更に接地面側から表面部に向かい所定深さ位置まで切り欠いた桟木部材係合溝、および固定片係合溝を有する桁部材と、段ボールシートを半折して少なくとも前記桁部材の高さと同じかそれより低い高さで、高さ方向の所定位置まで切り欠いた桁部材係合溝とフォーク差込用凹欠部を有する桟木部材と、段ボールシートからなり、前記桁部材の支柱部に嵌着する挾着凹部を切欠き形成し、桁部材の折り曲げ組立状態を保持する固定片と、段ボールシートから成る天板部材とから成り、前記固定片を差し込んで断面方形に組み立てた桁部材を複数本平行に並べ、それら桁部材の桟木部材係合溝に桟木部材の桁部材係合溝を嵌着してパレット本体を構成し、更にパレット本体の上面に段ボールシートからなる天板部材を積層係着した構成を特徴とする（請求項１）。
【００１０】
上記各構成部材を構成する段ボールシートは、今日段ボールとして一般的に使用されている両面段ボール、或いは複両面段ボール（例えば、ＡＢフルート使用）、複々両面ダンボール等から目的のパレットに合わせて選択使用する。
上記桁部材は、その桁の軸方向が段ボールシートの中芯原紙の波方向と交叉するように段ボールシートを裁断する。
又、段ボールシートから打ち抜き形成した各構成部材に施す折り曲げ手段としては、一般的な罫線、ミシン目、及び半切り等、その折曲げ部位にあわせて適宜選択する。尚、半切りとは、該シートの表面側ライナー又は裏面側ライナーのみを残し、他の中芯原紙、ライナーを切断する構成で、折り曲げを綺麗に正確に行うことができる。
【００１１】
上記段ボール製パレットにおいて、複数本の桁部材に亘って架設する桟木部材は、段ボールシートから打抜き、折り曲げて構成する形態に限定されず、紙管を使用してもよい（請求項２）。
紙管を桟木部材として使用する場合、桁部材に形成する桟木部材係合溝は前記した桁部材の表面側から紙管の外径（直径）に相当する幅、深さに切欠き、切欠きの底部は紙管の外周に合致するよう円弧形状とするのが好適である。
【００１２】
又、桟木部材を段ボールシートの打ち抜き、折り曲げによって構成した場合、曲げ強度が問題となるが、これを補強する手段として桟木部材の積層枚数を増加することが考えられるが、その増加する分は単に積層するのではなく、端面（切断面）を被覆する形態で積層する（請求項３）。
具体的には、請求項１に記載の桁部材に固定片を嵌着して断面方形に組立て、その桁部材の桟木部材係合溝を上方に向けて並設し、その桟木部材係合溝に補強部材で被覆した桟木部材を嵌着し、更に桁部材の上面に段ボールシートからなる天板部材を積層係着した構成としてもよい。
【考案の効果】
【００１３】
本考案によれば、パレットを構成する桁部材、桟木部材、固定片、天板部材は全て接着剤を使用せずに、シートの折り曲げ及び嵌め合せ組立てで構成するため、容易に製作することができる。そして、桁部材は断面方形の内部に段ボールシートの折り曲げによって構成した支柱部を一体に有するため、重量物にも耐え得る高強度のパレットを提供できる。
【００１４】
又、請求項２記載の構成によれば、桟木部材として紙管を使用することで、この種段ボール製パレットの弱点である曲げ強度を強化したパレットとすることができる。
【００１５】
更に、請求項３記載の構成によれば、請求項１記載のパレットが奏する効果に加えて、更に曲げ強度を効果的に補強したパレットを構成することができる。
【考案を実施するための最良の形態】
【００１６】
段ボール製パレットは、桁部材、桟木部材、固定片、及び天板部材の各部材を段ボールシートから打ち抜き、それを各打ち抜き部材に施した半切れ、罫線によって所定形状に折り曲げ／折り畳み、各構成部材を完成する。特に、桁部材は、シートを折り曲げて断面方形（四角形筒）に形成すると共に、内部には表面部を支える支柱部を一体に形成する。
そして、前記桁部材は１枚のシートを折り曲げて断面方形とするが、折り曲げた断面方形の形状を保持する為、固定片を差し込んで形状を固定する。
この桁部材を複数本平行に並べ、その桁部材に亘りフォーク差込用凹欠部を有する桟木部材を嵌着して桁部材を連結し、更に桁部材と桟木部材の表面に天板部材を積層係着して完成する。
【実施例１】
【００１７】
本考案の段ボール製パレットの実施例１を図１乃至図１０に基づいて説明する。
図１は段ボール製パレットＡの外観を示す斜視図で、該段ボール製パレットＡは段ボールシートａから所定形状に打ち抜き形成した桁部材Ａ１と、桟木部材Ａ２と、固定片Ａ３と、天板部材Ａ４とで構成されている。
【００１８】
段ボール製パレットＡの桁部材Ａ１、桟木部材Ａ２、固定片Ａ３、及び天板部材Ａ４を構成する段ボールシートａは、今日一般に使用されている両面段ボール、複両面段ボール或いは複々両面段ボール等から得ようとする目的のパレットに応じて選択する。本実施例では、ＡフルートとＢフルートの貼り合わせからなる複両面段ボールを使用した。
又、段ボールシートａから桁部材Ａ１、桟木部材Ａ２、固定片Ａ３の展開形状を打ち抜く場合、各部材はその打抜き面内に施す罫線ｃが該段ボールシートａの中芯原紙の波方向と直角に交叉する方向に位置するように裁断する。
【００１９】
桁部材Ａ１は、図２に示すように段ボールシートａから所定の形状に打ち抜くと共に、断面方形に折り畳む為の半切りｂ及び罫線ｃを所定位置に施し、更に桟木部材Ａ２を組み合わせる為の桟木部材係合溝１と固定片係合溝２、及び天板部材Ａ４を係着する掛止溝３，４が形成されている。
例えば、桁部材Ａ１の一辺の長さをＬとした場合、表面部（イ）の左右両側に側面部（ロ），（ロ’）、左右の側面部（ロ），（ロ’）の外側にＬ／２以下の底面部（ハ），（ハ’）を連設し、更にその底面部（ハ），（ハ’）の外側に支柱部７を構成する寸法Ｌの支柱片（ニ），（ホ）、（ニ’），（ホ’）が連設され、表面部（イ）と側面部（ロ），（ロ’）の境界、側面部（ロ），（ロ’）と底面部（ハ），（ハ’）の境界、底面部（ハ），（ハ’）と支柱片（ニ），（ニ’）の境界には罫線ｃを施し、支柱片（ニ）と（ホ）、（ニ’）と（ホ’）の境界に半切りｂが施されている。
【００２０】
そして、上記の如く形成した桁部材Ａ１は、先ず左右の支柱片（ホ），（ホ’）を半切りｂによって支柱片（ニ），（ニ’）の裏側に山折り状に折り曲げ（図３参照）、次に支柱片（ホ），（ホ’）を罫線ｃで谷折りし（図４参照）、更に底面部（ハ），（ハ’）、側面部（ロ），（ロ’）を罫線ｃで直角に折り曲げることで断面方形の筒に折り畳まれ、その筒内の中心には表面部（イ）を支える支柱片（二），（ホ）、（ニ’），（ホ’）が起立する。即ち、断面方形の内部に支柱片（二），（ホ）、（ニ’），（ホ’）が鉛直に起立した桁部材が完成する（図６参照）。
【００２１】
上記桁部材Ａ１に形成する桟木部材係合溝１は、断面方形に折り曲げ組み立てた時、側面部（ロ），（ロ’）及び支柱部７を形成する支柱片（ニ），（ホ）、（ニ’），（ホ’）に、底面部側から所定深さの溝が現出するよう、展開形状内に配置形成する（図２参照）。
即ち、側面部（ロ），（ロ’）から底面部（ハ），（ハ’）を跨いで支柱片（ニ），（ニ’）に、及び支柱片（ホ），（ホ’）には開放端側から内部に向かって形成され、且つ桁部材Ａ１の長手方向に向かい所定の間隔をおいて５列形成されている。尚、桟木部材係合溝１の本数は図示の５列に限定されず、目的のパレット強度に応じて適宜設定し得るものである。
【００２２】
桁部材Ａ１に形成する固定片係合溝２は、断面方形に折り曲げた時、底面部（ハ），（ハ’）に固定片の差込口が開口され、その底面部（ハ），（ハ’）に連設された支柱片（二），（ホ）、（ニ’），（ホ’）に所定深さの溝が現出するよう、桁部材の展開形状内に配置形成する。
即ち、底面部（ハ），（ハ’）から支柱片（ニ），（ニ’）に亘って溝を打ち抜き、更に支柱片（ホ），（ホ’）には開放端側から内部に向かって所定深さ形成する。尚、固定片係合溝２は、図面において2個開設した形態を示しているが、この個数は任意である。
【００２３】
桁部材Ａ１に形成する掛止溝３は、天板部材Ａ４の周縁に形成された係合片が係着する溝であるため、該掛止溝３は少なくとも係合片と対応する外側に位置する桁部材に形成され、中間に位置する桁部材には不要である。
又、掛止溝４は、天板部材Ａ４の面内の略中央に形成した係合片が係着する溝であるため、該掛止溝４は少なくとも係合片と対応する中間に位置する桁部材に形成されていればよい。
従って、掛止溝３は外側に配置する桁部材に、掛止溝４は中間に配置する桁部材に形成すればよいが、図２に示すように桁部材Ａ１の表面部（イ）に掛止溝３と掛止溝４の両方を形成することで外側用桁部材と中間用桁部材の共通化を計ることができる。
【００２４】
上記の如く構成した桁部材Ａ１を複数本（図面では３本）平行に並べ、その桁部材Ａ１に亘って架設係着する桟木部材Ａ２は、図７に示すように段ボールシートａから図７（ａ）に示す展開形状に打ち抜き、それを半折して桟木部材Ａ２とする。
即ち、段ボールシートａから前記した桁部材Ａ１の高さの２倍の高さ寸法で、所定のパレット幅（桁部材の並設幅）に合致する横幅に打ち抜き、その高さ方向の中央位置に半切りｂを施して綺麗且つ正確に半折できるように形成されている。そして、その半折した状態で前記桁部材Ａ１の桟木部材係合溝１に嵌着するための桁部材係合溝５と、フォーク差込用凹欠部６が切欠き形成されている。
【００２５】
上記桁部材係合溝５は、桁部材Ａ１の側面部（ロ）又は（ロ’）に嵌合する溝５ａ，５ａ’と、支柱部７に嵌合する溝５ｂで構成され、それらは半折した桟木部材Ａ２の開放端側から高さの略１／２の位置まで切り欠き形成して構成される。従って、上記桁部材係合溝５は、展開図において半切りｂを中心として線対称に形成する。
【００２６】
フォーク差込用凹欠部６は、フォークリフト等のフォークが差し込まれる切欠き部で、半折した桟木部材Ａ２の半折側から開放端側に向かって所定深さ（高さの半分位）切り欠いて形成されている。従って、構成部材の展開状態においては、図７（ａ）に示すように半切りｂを中心に両片に亘って略矩形状に打ち抜くことで形成できる。
そして、この桟木部材Ａ２は、フォーク差込用凹欠部６にフォークリフトのフォークを差し込んで持ち上げた場合、十分耐え得るように複数枚を重ね合わせて使用することは任意である。図示は、２個の桟木部材を重ね合わせて使用する状態を示す。
【００２７】
固定片Ａ３は、断面方形に折り曲げた桁部材Ａ１における支柱部７を構成する支柱片（二），（ホ）、（ニ’），（ホ’）を挾着して断面方形の組立て状態を保持するもので、図８に示すように段ボールシートａから長方形状に打ち抜き、その中央に半切りｂを施し、その半切りｂを跨いで両片に亘り支柱部７を挾着し得る幅で所定深さ（桁部材の高さの略１／２）切欠した挾着凹部８が構成されている。又、挾着凹部８の入口は、嵌着操作を円滑にするため面取りされている。
【００２８】
天板部材Ａ４は桁部材Ａ１に桟木部材Ａ２を組み合わせて井桁状に組んだパレット本体Ａ’の表面を平面に仕上げるもので、段ボールシートａから所定の大きさに裁断し、周縁の両側に外側に配置される桁部材Ａ１の掛止溝３に嵌着係合する係合片９が一体に形成され、更に面内には中間に配置される桁部材Ａ１の掛止溝４に嵌着係合する係合片１０が切り込み形成されている。
それにより、係合片９は天板部材Ａ４に対して直角下向きに折り曲げて桁部材Ａ１の掛止溝３に嵌着し、係合片１０は該天板部材Ａ４をパレット本体Ａ’の表面に載せた後、係合片１０を区画する切り込み部分を下方に押し下げることで下方に位置する桁部材Ａ１の掛止溝４に嵌着され、天板部材Ａ４はパレット本体Ａ’に係着保持される。
【００２９】
上記構成により、パレットＡの組み立ては以下の手順により行うことで完了する。
（１）桁部材Ａ１を断面方形に折り曲げ、固定片Ａ３を嵌着して桁部材Ａ１を完成する（図９（ａ）参照）。
（２）完成した桁部材Ａ１を所定本数（３本）平行に並べ、その平行に並べた桁部材Ａ１に亘って桟木部材Ａ２を、桟木部材係合溝１と桁部材係合溝５を組み合わせ格子状に組み、パレット本体Ａ’を完成する（図９（ｂ）参照）。
（３）完成したパレット本体Ａ’の表面に天板部材Ａ４を載せ、該天板部材Ａ４の係合片９，１０を桁部材Ａ１の掛止溝３，４に係着して一体化する（図１０参照）。
【実施例２】
【００３０】
上記した実施例１における桟木部材は段ボールシートの折り曲げで構成したが、シートの折り曲げ重ね合わせで構成した場合は曲げ強度に問題がある。そこで、この曲げ強度を解決する手段として、桟木部材を紙管で構成することが考えられる。以下、その実施例を図１１乃至図１４に基づいて説明する。尚、実施例1と同一の構成については同一の符号を付し、説明を省略する。
図１１は完成したパレットＢの外観を示す斜視図で、図中、Ｂ１は桁部材、Ｂ２は紙管で構成された桟木部材、Ｂ３は固定片、Ｂ４は天板部材である。
【００３１】
上記桁部材Ｂ１は、前示実施例１で示した桁部材Ａ１と同様段ボールシートａから所定形状に打ち抜き、それを折り曲げて断面方形の筒に構成すると共に、その筒内に支柱部を一体に形成する。そして、断面方形の筒形状を確保する為に、前示実施例１と同様、固定片Ｂ３を使用するが、その固定片Ｂ３が差し込まれる固定片係合溝２についても実施例１と同様に構成する。
【００３２】
上記構成の桁部材Ｂ１に対して、紙管の桟木部材Ｂ２を架設するが、その桟木部材Ｂ２の取付は桁部材Ｂ１の表面側に切欠き形成した桟木部材係合溝１１に上方から嵌合して取り付ける。その為、桟木部材係合溝１１は、桁部材Ｂ１を３本使用する場合、中央に配置する桁部材Ｂ１には桟木部材Ｂ２が直角に交叉して横切る為、桁部材Ｂ１の表面部、左右側面部、及び支柱部を切欠き形成する（図１２参照）。
又、外側に配置する桁部材Ｂ１には外側に面する側面部は切欠せずに残し、表面部、支柱部及び内側に面する側面部に切欠き形成する（図１３参照）。それにより、複数本の桁部材Ｂ１に嵌合横架した桟木部材Ｂ２は外側に飛び出したりしないよう係着保持される。
尚、桟木部材係合溝１１は、紙管からなる桟木部材Ｂ２が安定よく係合するために、該溝の底面は紙管の外形に合致するよう円弧面にするのが有効である。
又、桟木部材係合溝１１は、桁部材Ｂ１の長手方向に沿い所定間隔をおいて複数個形成される。その個数はパレットに要求される強度に応じて決定される。
【００３３】
上記の如く構成した桁部材Ｂ１を複数本、間隔をおいて平行に並べ、その桁部材Ｂ１の桟木部材係合溝１１に紙管からなる桟木部材Ｂ２を嵌着し、最後に天板部材Ｂ４を前示実施例１と同様の構造により載置係着してパレットを完成する（図１４参照）。
【実施例３】
【００３４】
実施例１の段ボール製パレットＡにおける桟木部材の曲げ強度を解決する手段は実施例２の如く桟木部材に紙管を使用する手段の他に、実施例１における桟木部材自体の強度を高めることで解決することが挙げられる。その場合、単純に桟木部材の重ね枚数を増加することが考えられるが、同じ使用枚数でより効果的に補強できる構成を図１５乃至図２０に基づいて説明する。尚、実施例１と同一の構成は同一の符号を付し、説明を省略する。
図１5はそのパレットＣの外観を示す斜視図で、実施例１で示したパレットＡとの相違点は桁部材Ｃ１の構成と桟木部材Ｃ２の補強構造、及び天板部材Ｃ４で、固定片Ｃ３は同じである。以下、相違する桁部材Ｃ１、桟木部材Ｃ２を補強する補強部材Ｃ５、天板部材Ｃ４について説明する。
【００３５】
桁部材Ｃ１は、段ボールシートａから打ち抜き、それを断面方形に折り曲げ且つ内部に支柱部を一体に有し、更に左右の側面部に連接する底面部側から表面部側に向かって桟木部材係合溝、固定片係合溝が切り欠き形成される点は同じであるが、その桁部材の使用形態が実施例１と天地を逆にして使用する点で異なる。即ち、実施例１における桁部材Ａ１の底面部側を上方に向けて配置し、桟木部材係合溝１、固定片係合溝２の開口が表面に現出するようにする（図１７参照）。
又、桁部材Ｃ１に形成する桟木部材係合溝１の溝幅は、実施例１で示した桟木部材Ｃ２に補強部材Ｃ５を組み合わせて嵌着するため、補強部材Ｃ５の分だけ広く形成する。
【００３６】
上記桁部材Ｃ１の桟木部材係合溝１に嵌着する桟木部材Ｃ２は実施例１で示した桟木部材Ａ２と同じ構成で、その桟木部材Ｃ２を補強する補強部材Ｃ５は、段ボールシートａから打ち抜いた部材を断面略コ形に折り曲げ、桟木部材Ｃ２を包むように構成する。
補強部材Ｃ５は、図１８に示すように段ボールシートａから桟木部材Ｃ２と同じ長さで桟木部材Ｃ２の厚さと桟木部材の高さ分を加算した幅の長方形状に打ち抜き、その幅方向の中央部には桟木部材Ｃ２のフォーク差込用凹欠部６の両側の突出部１２（桁部材係合溝５が形成された部分）が嵌合する開口１３が長手方向に沿って３ヶ所形成され、開口１３間に挟まれた閉鎖部分１４はフォーク差込用凹欠部５の表面を覆うように構成されている。又、閉鎖部分１４の両側には所定深さの切り込みが施されて可動片１４’が設けられ、この可動片１４’により閉鎖部分１４が桟木部材Ｃ２のフォーク差込用凹欠部５の表面に当接して確実に被覆する。
【００３７】
上記の如く構成した補強部材Ｃ５は図２０に示すように断面コ形に折り曲げ、これに桟木部材Ｃ２の突出部１２を開口１３に合わせて嵌め込み、図２１に示すように組み合わせ一体化する。
【００３８】
天板部材Ｃ４は、周縁に係合片９を有する点は実施例１の天板部材Ａ４と同じであるが、面内には桁部材Ｃ１に嵌着横架した桟木部材Ｃ２相互間に押し込み嵌入される係合片１５が切り込み形成されている。この係合片１５が平行に架設された桟木部材Ｃ２を覆う補強部材Ｃ５相互間に押し込まれることで天板部材Ｃ４が係着保持される。
【００３９】
上記の如く構成した桁部材Ｃ１を桟木部材係合溝１の開口部を上方に向けて複数本（図面では３本）、間隔をおいて平行に並べ、その桁部材Ｃ１の桟木部材係合溝１に、桟木部材Ｃ２と補強部材Ｃ５を組み合わせて図２１に示す如く構成した状態で嵌着し、最後に天板部材Ｃ４をパレット本体の上に載せ、天板部材Ｃ４の係合片９を掛止溝３に差し込み、更に天板部材Ｃ４の面内に形成した係合片１５を下方に折り込んで補強部材Ｃ５相互間に押し込み、係着してパレットを完成する（図２２参照）。
このパレットは、桁部材Ｃ１に渡した桟木部材Ｃ２が補強部材Ｃ５で厚さが増強されると共に、該桟木部材Ｃ２に形成したフォーク差込用凹欠部６の切欠面が補強部材Ｃ５で覆われるためフォークが当たる面が補強され、曲げ強度を高めることができる。
【産業上の利用可能性】
【００４０】
本考案に係る段ボール製パレットは、木製パレットで輸出する場合、一部の国において義務付けられている燻蒸処理を省くことができるため、輸出用のパレットとして利用価値大である。
【図面の簡単な説明】
【００４１】
【図１】本考案に係る段ボール製パレットの実施例１を示す外観斜視図。
【図２】桁部材の展開斜視図。
【図３】桁部材の支柱部を構成する支柱片を折り曲げた同斜視図。
【図４】支柱片を更に折り曲げた同斜視図。
【図５】底面部を折り曲げた同斜視図。
【図６】折り曲げ完成した桁部材の斜視図。
【図７】桟木部材を示し、（ａ）は同部材の展開図、（ｂ）は折り曲げ完成した桟木部材の斜視図。
【図８】固定片の打ち抜き形状及び折り曲げ完成状態を示す斜視図。
【図９】（ａ）は桁部材に固定片を差し込んで折り曲げ状態を固定する斜視図、（ｂ）はその桁部材に桟木部材を組んでパレット本体を構成する状態を示す斜視図。
【図１０】パレット本体に天板部材を取り付ける状態を示す斜視図。
【図１１】段ボール製パレットの実施例２を示す外観斜視図。
【図１２】同パレットを構成する中間の桁部材の展開斜視図。
【図１３】同パレットを構成する外側の桁部材の展開斜視図。
【図１４】桁部材に紙管の桟木部材を取り付け、更に天板部材を係着する状態を示す斜視図。
【図１５】段ボール製パレットの実施例３を示す外観斜視図。
【図１６】同パレットを構成する桁部材の展開斜視図。
【図１７】桁部材を折り曲げ完成した斜視図。
【図１８】桟木部材を補強する補強部材の展開斜視図。
【図１９】補強部材を折り曲げた斜視図。
【図２０】桟木部材と補強部材を組む状態を示す斜視図。
【図２１】組み上げた状態を示す同斜視図。
【図２２】桁部材に桟木部材を取り付け、更に天板部材を取り付ける状態を示す斜視図。
【符号の説明】
【００４２】
Ａ，Ｂ，Ｃ…段ボール製パレット    Ａ’，Ｂ’，Ｃ’…パレット本体
Ａ１，Ｂ１，Ｃ１…桁部材          Ａ２，Ｂ２，Ｃ２…桟木部材
Ａ３，Ｂ３，Ｃ３…固定片          Ａ４，Ｂ４，Ｃ４…天板部材
Ｃ５…補強部材                    １…桟木部材係合溝
２…固定片係合溝                  ３，４…掛止溝
５…桁部材係合溝                  ６…フォーク差込用凹欠部
７…支柱部
【図１】
0003101227.tif 000003
【図２】
0003101227.tif 000004
【図３】
0003101227.tif 000005
【図４】
0003101227.tif 000006
【図５】
0003101227.tif 000007
【図６】
0003101227.tif 000008
【図７】
0003101227.tif 000009
【図８】
0003101227.tif 000010
【図９】
0003101227.tif 000011
【図１０】
0003101227.tif 000012
【図１１】
0003101227.tif 000013
【図１２】
0003101227.tif 000014
【図１３】
0003101227.tif 000015
【図１４】
0003101227.tif 000016
【図１５】
0003101227.tif 000017
【図１６】
0003101227.tif 000018
【図１７】
0003101227.tif 000019
【図１８】
0003101227.tif 000020
【図１９】
0003101227.tif 000021
【図２０】
0003101227.tif 000022
【図２１】
0003101227.tif 000023
【図２２】
0003101227.tif 000024